(57)【要約】【課題】故障したＬＥＤのメンテナンス又は交換を迅速かつ簡便に行うことができる交流用ＬＥＤの保護回路を提供する。【解決手段】交流用ＬＥＤの保護回路は、ＬＥＤランプ１の電源プラグ１１の両端に整流器１２が接続され、整流器１２間に電流制限抵抗１３及び多数のＬＥＤ１５１が直列に接続されている。ＬＥＤ１５１のそれぞれは負荷１４に並列に接続されている。【選択図】図１
0003157456.tif 000002
【実用新案登録請求の範囲】
【請求項１】
ＬＥＤランプは、電源プラグの両端に整流器が接続され、前記整流器間に電流制限抵抗及び多数のＬＥＤが直列に接続され、
前記ＬＥＤのそれぞれは負荷に並列に接続されていることを特徴とする交流用ＬＥＤの保護回路。
【請求項２】
前記負荷は、もう一つのＬＥＤ、ツェナーダイオード又は抵抗であることを特徴とする請求項１に記載の交流用ＬＥＤの保護回路。
【請求項３】
前記負荷は、もう一つのＬＥＤ、ツェナーダイオード及び抵抗からなる群から選ばれる何れか２つ又は３つを並列に接続した組み合わせであることを特徴とする請求項１に記載の交流用ＬＥＤの保護回路。
【考案の詳細な説明】
【技術分野】
【０００１】
本考案は、交流用ＬＥＤの保護回路に関し、特に、ＤＩＰ（Ｄｕａｌ  Ｉｎｌｉｎｅ  Ｐａｃｋａｇｅ）又はＳＭＤ（Ｓｕｒｆａｃｅ  Ｍｏｕｎｔ  Ｄｅｖｉｃｅ）の発光ダイオード（ＬＥＤ）を利用した交流電源を使用するＬＥＤランプに関する。
【背景技術】
【０００２】
ＬＥＤは、非常に少ない消費電力で発光させることができるため、電気エネルギを節減することができる上、小体積、長寿命、高速反応、防振性及び単色性に優れている。そのため、ＬＥＤは、開発以来、様々な分野で幅広く利用され、さらなる普及のために研究・開発が積極的に行われている。
【０００３】
図８に示すように、従来、ＤＩＰ又はＳＭＤのＬＥＤを利用した交流電源のＬＥＤランプ２は、電源プラグ２１の両端に整流器２２を接続し、整流器２２間には電流制限抵抗２３及び多数のＬＥＤ２４が直列に接続されている。実際に使用する際は、商用電源に接続された電源プラグ２１を介して商用電源を供給し、整流器２２を利用して交流を直流に変換してから電流制限抵抗２３により電流制限を行い、互いに直列に接続した各ＬＥＤ２４の発光に必要な電力を供給する。
【０００４】
上述のＬＥＤランプは、商用電源に接続することにより電気が供給され、互いに直列に接続した各ＬＥＤを発光させることができる。しかし、ＬＥＤランプの各ＬＥＤ間が直列に接続されている場合、直列に接続された各ＬＥＤに電流が流れて回路が形成され、各ＬＥＤが導通して発光するが、直列に接続されたＬＥＤのうち１つ又は複数が故障した場合、故障したＬＥＤの箇所で電流が流れなくなり、ＬＥＤランプの直列に接続された各ＬＥＤの回路が断線して発光しなくなる虞があった。そのため、使用上不便である上、故障したＬＥＤのメンテナンス又は交換を行う際、各ＬＥＤの状態を測定ツールで測定する必要があるため、多くの時間が浪費される上、操作上不便であった。そのため、従来の問題点を解決することができる回路が求められていた。
【考案の概要】
【考案が解決しようとする課題】
【０００５】
本考案の目的は、ＬＥＤが故障してＬＥＤランプの回路が断線しても、ＬＥＤランプの全てが発光しなくなる問題が発生することを防ぎ、使用上便利であり、故障したＬＥＤのメンテナンス又は交換を迅速かつ簡便に行うことができる交流用ＬＥＤの保護回路を提供することにある。
【課題を解決するための手段】
【０００６】
上記課題を解決するために、本考案の第１の形態によれば、ＬＥＤランプは、電源プラグの両端に整流器が接続され、前記整流器間に電流制限抵抗及び多数のＬＥＤが直列に接続され、前記ＬＥＤのそれぞれは負荷に並列に接続されていることを特徴とする交流用ＬＥＤの保護回路が提供される。
【０００７】
また、前記負荷は、もう一つのＬＥＤ、ツェナーダイオード又は抵抗であることが好ましい。
【０００８】
また、前記負荷は、もう一つのＬＥＤ、ツェナーダイオード及び抵抗からなる群から選ばれる何れか２つ又は３つを並列に接続した組み合わせであることが好ましい。
【考案の効果】
【０００９】
本考案の交流用ＬＥＤの保護回路は、ＬＥＤが故障してＬＥＤランプの回路が断線しても、ＬＥＤランプの全てが発光しなくなる問題が発生することを防ぐことができるため、使用上便利であり、故障したＬＥＤのメンテナンス又は交換を迅速かつ簡便に行うことができる。
【図面の簡単な説明】
【００１０】
【図１】本考案の第１実施形態による交流用ＬＥＤの保護回路を示す回路図である。
【図２】本考案の第２実施形態による交流用ＬＥＤの保護回路を示す回路図である。
【図３】本考案の第３実施形態による交流用ＬＥＤの保護回路を示す回路図である。
【図４】本考案の第４実施形態による交流用ＬＥＤの保護回路を示す回路図である。
【図５】本考案の第５実施形態による交流用ＬＥＤの保護回路を示す回路図である。
【図６】本考案の第６実施形態による交流用ＬＥＤの保護回路を示す回路図である。
【図７】本考案の第７実施形態による交流用ＬＥＤの保護回路を示す回路図である。
【図８】従来の交流用ＬＥＤの保護回路を示す回路図である。
【考案を実施するための形態】
【００１１】
図１を参照する。図１に示すように、本考案の第１実施形態によるＬＥＤランプ１は、電源プラグ１１の両端に接続された整流器１２を含む。整流器１２間には、電流制限抵抗１３及び多数のＬＥＤ１４が直列に接続されている。
【００１２】
各ＬＥＤ１４のそれぞれは、負荷１５と並列に接続され、負荷１５のインピーダンス値は、ＬＥＤ１４よりも大きいか等しい。
【００１３】
負荷１５は、もう一つのＬＥＤ１５１（図１に示す）、ツェナーダイオード１５２（図２に示す）、抵抗１５３（図３に示す）、互いに並列に接続したＬＥＤ１５１とツェナーダイオード１５２との組み合わせ（図４に示す）、互いに並列に接続したＬＥＤ１５１と抵抗１５３との組み合わせ（図５に示す）、互いに並列に接続したツェナーダイオード１５２と抵抗１５３との組み合わせ（図６に示す）、又は、互いに並列に接続したＬＥＤ１５１、ツェナーダイオード１５２、抵抗１５３の組み合わせ（図７に示す）から構成されてもよい。
【００１４】
本考案の一実施形態によるＬＥＤランプ１は、実際に使用する際、ＬＥＤ１４と、ＬＥＤ１４と並列に接続された負荷１５とに電流が流れると、負荷１５のインピーダンス値がＬＥＤ１４よりも大きいか等しいため、電流の大部分がＬＥＤ１４を通ったり、ＬＥＤ１４と負荷１５とに均等に通ったりするため、ＬＥＤ１４の発光輝度に悪影響を与えない。ＬＥＤ１４が故障した場合、電流がＬＥＤ１４と並列に接続された負荷１５を通って次のＬＥＤ１４に流れるため、回路全体が断線することはない。そのため、一部のＬＥＤ１４が故障して発光しなくなっても、全てのＬＥＤ１４が発光しなくなる虞はない。
【００１５】
上述したことから分かるように、本考案は、ＬＥＤランプの互いに並列に接続された各ＬＥＤのそれぞれに負荷を並列に接続することにより、ＬＥＤが故障したときに、ＬＥＤと並列に接続された負荷に電流が通って次のＬＥＤに流れるため、回路全体が断線せずに故障したＬＥＤだけが発光しなくなるため、一部のＬＥＤが故障してもランプ全体が断線して発光しなくなる状況が発生することを防ぐことができる。そのため、使用上便利なだけでなく、故障したＬＥＤのメンテナンス又は交換を行う際、故障したＬＥＤを迅速かつ簡便に見つけて交換することができるため、使用上便利である。
【００１６】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図１】
0003157456.tif 000003
【図２】
0003157456.tif 000004
【図３】
0003157456.tif 000005
【図４】
0003157456.tif 000006
【図５】
0003157456.tif 000007
【図６】
0003157456.tif 000008
【図７】
0003157456.tif 000009
【図８】
0003157456.tif 000010